(57)【特許請求の範囲】
【請求項１】
結晶セルロース、でんぷん、部分アルファー化デンプンを木酢液と混合し粉末化した木酢粉末１００重量部に対して、アガリクス粉末を０．０５〜５重量部以下含有することを特徴とするアガリクス含有木酢粉末混合物。
【発明の詳細な説明】
【０００１】
【発明が属する技術分野】
本発明は、トルマリン含有木酢粉末混合物、アガリクス粉末含有木酢粉末及びそれらの製造方法に関するものである。
【０００２】
【従来の技術】
木酢液は、樹木を炭化するとき抽出される樹液であり、熱分解により発生する白煙の水溶液である。そして、木酢液は、多種類のポリフェノールを含有しており、人体に無毒で、生活環境、農、畜、水産業の生産、品質の向上に広く応用されている。一方、トルマリンは、別名電気石と呼ばれる鉱物である。これまた、人体に無毒で、生活環境、農、畜、水産業の生産、品質の向上に広く応用されている。このようなトルマリン、木酢液それぞれと他の成分とを混合し、利用されている組成物は多種存在する。しかし、トルマリン粉末と木酢液の粉末との混合物はこれまで存在しなかった。又、アガリクスも、人体に無毒で、生活環境、農、畜、水産業の生産、品質の向上に広く応用されている。そして、アガリクス、木酢液それぞれと他の成分とを混合し、利用されている組成物は多種存在する。しかし、アガリクス粉末と木酢液の粉末との混合物はこれまで存在しなかった。
【０００３】
これらの理由の一つとしては、トルマリンの粉末と木酢粉末とを混合してもトルマリンの比重が木酢粉末の比重と比べてかなり大きくトルマリン粉末が木酢粉末中に十分に分散しないという問題があった。又、木酢液は弱酸性物質であること、これに対してトルマリンの特性の一つは酸性体を弱アルカリ化することから、トルマリンは木酢液の作用を阻害すると考えられていた。又、アガリクスは、かなり高価な材料であり、木酢液との混合物はこれまで存在していなかった。
【０００４】
【発明が解決しようとする課題】
本発明が解決しようとする問題点は、トルマリン粉末と木酢液との混合物は、これまで有用な製品を開発できなかった点にある。トルマリンの特性として、酸性体である木酢液を弱アルカリ化する作用が知られていることから、トルマリンは弱酸性である木酢液の作用を阻害するという問題点が存在していた。又、これを解決するため、木酢液を粉末化した場合、トルマリン粉末と木酢粉末とがうまく分散しないという問題点も存在していた。
【０００５】
【課題を解決するための手段】
本発明者は、木酢液を粉末化し、これをトルマリン粉末と混合すれば、木酢液の作用を大きく妨げないこと、且つトルマリン含有量を木酢粉末に対して比較的少量とすれば、トルマリンがうまく分散した木酢粉末混合物を製造できることに着目して本発明を完成した。即ち、本発明は、結晶セルロース、でんぷん、部分アルファー化デンプンを木酢液と混合し粉末化した木酢粉末（以下、本発明において木酢粉末という。）１００重量部に対して、トルマリン粉末を０．０５〜１重量部含有することを特徴とするトルマリン含有木酢粉末混合物を提供する。又、本発明は、木酢粉末１００重量部に対して、アガリクス粉末を０．０５〜５重量部以下含有することを特徴とするアガリクス含有木酢粉末混合物を提供する。又、本発明は、結晶セルロース、でんぷん、部分アルファー化デンプンを混合し、この混合物に、木酢液を添加し、練合し、造粒し、乾燥し、これを粉砕して細末として木酢粉末を調製し、これにトルマリン粉末又は、アガリクス粉末を混合する木酢粉末混合物の製造法を提供する。更に、本発明は、前記木酢粉末混合物を収納する分包体において、少なくとも一面をメッシュ構造とすることを特徴とする木酢粉末混合物分包体を提供する。又、前記の分包体の層と、携帯コンロ層との二層を有する携帯コンロをも提供する。
【０００６】
【発明の実施の形態】
本発明で用いられる木酢液とは、好ましくは広葉樹を炭化する際に比較的始めに出てくる白煙を冷却して採取される水溶液であればどのような木酢液でも良く特に限定されるものではない。
【０００７】
本発明の木酢粉末の製造法としては、市販の結晶セルロース、でんぷん、部分アルファー化デンプンを用いることができる。これらの結晶セルロース、でんぷん及び部分アルファー化デンプンの配合比は、例えば、重量比で５：２：３の割合で混合したものが好ましいが、この混合比については当業者が適宜増減することが可能である。そして、この混合物に対して、前記木酢液を等量を添加、練合するが、木酢液の配合割合も適宜増減ができる。そして、造粒機により、好ましくは約３．０ｍ／ｍφ程度で造粒する。乾燥温度は、約５０℃が好ましいが、乾燥時間等との影響により適宜決定することができる。乾燥後、好ましくは約１．０ｍ／ｍφ程度に粉砕して細末とし、木酢粉末とする。
【０００８】
本発明のトルマリン含有木酢粉末混合物は、木酢粉末１００重量部に対して、トルマリン粉末を０．０５〜１重量部混合する。任意に、パインデックスと、カルボキシメチルセルロースナトリウムを添加することが好ましい。
【０００９】
本発明のトルマリン粉末を混合した木酢粉末混合物は、これを片面が水溶液透過性のメッシュ構造を有する分包体に収納することが好ましい。
【００１０】
又、前記の分包体の層と、携帯コンロ層との二層を有する携帯コンロとすることもできる。
【００１１】
本発明のアガリクス粉末含有木酢粉末混合物は、木酢粉末１００重量部に対して、アガリクス粉末を０．０５〜５重量部混合する。任意に、パインデックスと、カルボキシメチルセルロースナトリウムを添加することが好ましい。
【００１２】
本発明のアガリクス粉末を混合した木酢粉末混合物は、これを少なくとも一面がメッシュ構造をとする分包体に収納することが好ましい。分包体の材質に特に限定はないが、不織布とすることが耐久性の観点から好ましい。メッシュ構造としたので水溶液は透過可能であるが、混合物を構成する粉末は分包体中に保持できる。
【００１３】
本発明の分包体は、前記のとおりであるが、両面をメッシュ構造としたものでも良い。
【００１４】
又、本発明においては、前記の分包体の層と、携帯コンロ層との二層を有する携帯コンロとすることもできる。分包体の層と、携帯コンロ層との結合の仕方に特に自由で、両者別々のものを使用時に重ね併せて使用してもよく、又、両者の層をあらかじめ糸等で結合していてもよい。
【００１５】
【実施例】
実施例１ 木酢粉末の製造まず、結晶セルロース１２．０Ｋｇ、でんぷん４．８Ｋｇ、部分アルファー化デンプン７．２Ｋｇを混合した。この混合物に、木酢液２０Ｌを添加し、練合し、約３．０ｍ／ｍφで造粒し、約５０℃で乾燥した。これを１．０ｍ／ｍφで粉砕して細末とし、木酢粉末とした。
実施例２ トルマリン含有木酢粉末の製造実施例１で調製した木酢粉末１０Ｋｇと、パインデックス８０Ｋｇと、カルボキシメチルセルロースナトリウム１０．０Ｋｇと、トルマリン０．６Ｋｇとをよく混合して、トルマリン含有木酢粉末混合物とした。
実施例３ トルマリン含有木酢粉末の包体製造実施例２で調製したトルマリン含有木酢粉末を４ｇづつ分包してトルマリン含有木酢粉末の分包体とした。用いた包体は、材質が不織布で、両面を水溶液不透過性のメッシュ構造のものを用いた。
実施例４ トルマリン含有木酢粉末包体と携帯カイロの併用実施例３で製造したトルマリン含有木酢粉末の分包体に、市販の携帯カイロ（商標名「ホカロン」）を積層して、トルマリン含有木酢粉末分包体の携帯カイロを製作した。使用法は、トルマリン含有木酢粉末の分包体を温める側に当てる。携帯カイロから発した熱は、トルマリンから発する遠赤外線と相乗して、適度な温熱効果を発揮した。
実施例５ アガリスク粉末含有木酢粉末の製造実施例１で調製した木酢粉末１０Ｋｇと、パインデックス８０Ｋｇと、カルボキシメチルセルロースナトリウム１０．０Ｋｇに、アガリクス、トルマリン０．６Ｋｇとをよく混合して、トルマリン含有木酢粉末混合物とした。
実施例６ アガリクス粉末含有木酢粉末の包体製造実施例５で調製したアガリクス粉末含有木酢粉末を、 ｇづつ分包してアガリクス粉末含有木酢粉末混合物の分包体とした。用いた包体は、片面を水溶液不透過性の とし、他の片面は、水溶液透過性のメッシュ構造のものを用いた。
実施例７ トルマリン含有木酢粉末包体と携帯カイロの併用実施例６で製造したアガリクス粉末含有木酢粉末混合物の分包体に、市販の携帯カイロ（商標名「ホカロン」）を積層して、アガリクス粉末含有木酢粉末混合物分包体の携帯カイロを製作した。使用法は、アガリクス含有木酢粉末の分包体側を温める側に当てる。携帯カイロからの熱は、分包体を経由して、適度な温熱効果を発揮した。
【００１６】
【発明の効果】
以上説明したように本発明のトルマリン含有木酢粉末混合物、アガリクス粉末含有木酢粉末混合物の製造、前記混合物を収納する両面メッシュ構造の分包体及び前記分包体を一層とする携帯カイロの製造を達成した。